(57)【特許請求の範囲】
【請求項１】
下部を開口し、上面に排気口を備えたフード本体の内部に、Ａ空間部とＢ空間部を設け、前記Ａ空間部にはファンとモータを内蔵した前記排気口に連通するファンケーシングと、このファンケーシングの吸気口側にＢ空間部にまたがって円筒フィルタと、この円筒フィルタを回転させるモータと、前記円筒フィルタの吸気口側に、一定のＢ空間部を設け、Ａ空間部とＢ空間部を仕切る仕切板と、この仕切板に前記円筒フィルタの表面に接してシール部を設け、前記円筒フィルタの表面に触媒を設け、この触媒を励起、活性化させる励起手段と反射手段を前記Ａ空間部に設けた換気装置。
【請求項２】
ファンとモータとファンケーシングとＡ空間部の内面、およびＢ空間部の内面に触媒を設け、この触媒、および円筒フィルタの表面の触媒を、励起、活性化させる励起手段と反射手段を、少なくともＢ空間部に設けてなる請求項１記載の換気装置。
【請求項３】
円筒フィルタの内面に触媒を設け、前記円筒フィルタの内部に励起手段を設けてなる請求項１記載の換気装置。
【請求項４】
円筒フィルタの内面に触媒を設け、前記円筒フィルタの内部に励起手段と反射手段を設けてなる請求項１記載の換気装置。
【請求項５】
長板を周方向に配列させ、前記長板の内周側を周方向に前進させた円筒フィルタを設けてなる請求項１記載の換気装置。
【請求項６】
Ａ空間部、およびＢ空間部に開閉部を設け、この開閉部内部に励起手段と反射手段を設けてなる請求項１記載の換気装置。
【請求項７】
円筒フィルタを２分割してなる請求項１記載の換気装置。
【請求項８】
Ｂ空間部を形成するフード本体内面に、コーナー部を遮蔽するパネルを設け、このパネルとフード本体外面に、撥油効果のある塗料を塗装してなる請求項１記載の換気装置。
【請求項９】
ロール状フィルタと前記ロール状フィルタを回転するモータを設け、前記ロール状フィルタの表面に触媒を設けてなる請求項１記載の換気装置。
【請求項１０】
回転支持部を支持されている平板フィルタと、前記平板フィルタを１８０度回転するモータを設け、前記平板フィルタの両面に触媒を設けてなる請求項１記載の換気装置。
【発明の詳細な説明】
【０００１】
【産業上の利用分野】
本発明は、家庭の台所用、あるいは業務用の換気装置に関し、油煙等の油汚れにより、不快な状態となることを防止する、自己油浄化機能を有する換気装置に関する。
【０００２】
【従来の技術】
近年、衛生、清潔感の高まり、および省力化から、家庭の台所用、あるいは業務用の換気装置は、油汚れが自己分解し、常に清潔でクリーンな状態に維持されることが求められている。
【０００３】
従来、この種の換気装置は、実開昭５９−１５１０２９号公報に示すような構成が一般的であった。以下、その構成について図１２を参照しながら説明する。
【０００４】
図に示すように、本体１０１の内部にファンモータ１０２が設けられ、本体１０１の吸気口１０３にフィルタ１０４が設けられている。本体１０１後面には排気口１０５が設けられ、本体１０１内部に遠赤外線熱源１０６が設けられている。フィルタ１０４には加熱触媒１０７が塗布されている。
【０００５】
上記構成において、遠赤外線熱源１０６を通電加熱するとフィルタ１０４が熱せられ、加熱触媒１０７の作用により、フィルタ１０４の表面に付着した調理油が、触媒分解され、気化することになる。
【０００６】
【発明が解決しようとする課題】
このような従来の換気装置では、加熱触媒１０７を活性化させるために、フィルタ１０４を３００℃以上の高温に上げる必要があり、火災および火傷等に対する安全性、およびエネルギーロスが大きいという問題があった。
【０００７】
本発明は上記問題を解決するもので、常温で自己浄化機能を果たすことができる換気装置を提供することを第１の目的とする。
【０００８】
第２の目的は、効率良く、短時間で、付着した調理油を分解気化することにある。
【０００９】
第３の目的は、フィルタの埃付着を防止することにある。
第４の目的は、励起手段となる励起光を外部へ漏らすことを抑制し、安全性を高めることにある。
【００１０】
第５の目的は、励起手段の交換を容易にすることにある。
第６の目的は、励起手段の届かない部分の、油汚れの清掃を容易にすることにある。
【００１１】
【課題を解決するための手段】
本発明の換気装置は上記した第１、第２、第３、および第４の目的を達成するために、第１の手段は、下部を開口し、上面に排気口を備えたフード本体の内部に、Ａ空間部とＢ空間部を設け、前記Ａ空間部にはファンと、モータを内蔵した前記排気口に連通するファンケーシングと、このファンケーシングの吸気口側にＢ空間部にまたがって円筒フィルタと、この円筒フィルタを回転させるモータと、前記円筒フィルタの吸気口側に、一定のＢ空間部を設け、Ａ空間部とＢ空間部を仕切る仕切板と、この仕切板に前記円筒フィルタの表面に接してシール部を設け、前記円筒フィルタの表面に触媒を設け、この触媒を励起、活性化させる励起手段と反射手段を前記Ａ空間部に設けた構成とする。
【００１２】
また、第１の目的を達成するための第２の手段は、ファンとモータとファンケーシングとＡ空間部の内面およびＢ空間部の内面に触媒を設け、この触媒、および円筒フィルタの表面の触媒を、励起、活性化させる励起手段と反射手段を、少なくともＢ空間部に設けた構成とする。
【００１３】
また、第２の目的を達成するための第３の手段は、円筒フィルタの内面に触媒を設け、前記円筒フィルタの内部に励起手段を設けた構成とする。
【００１４】
また、第４の目的を達成するための第４の手段は、円筒フィルタの内面に触媒を設け、前記円筒フィルタの内部に励起手段と反射手段を設けた構成とする。
【００１５】
また、第４の目的を達成するための第５の手段は、長板を周方向に配列させ、前記長板の内周側を周方向に前進させた円筒フィルタを設けた構成とする。
【００１６】
また、第５の目的を達成するための第６の手段は、Ａ空間部、およびＢ空間部に開閉部を設け、この開閉部内部に励起手段と反射手段を設けた構成とする。
【００１７】
また、第５の目的を達成するための第７の手段は、円筒フィルタを２分割してなる構成とする。
【００１８】
また、第６の目的を達成するための第８の手段は、Ｂ空間部を形成するフード本体内面に、コーナー部を遮蔽するパネルを設け、このパネルとフード本体外面に、撥油効果のある塗料を塗装してなる構成とする。
【００１９】
また、第２の目的を達成するための第９の手段は、ロール状フィルタと、前記ロール状フィルタを回転するモータを設け、前記ロール状フィルタの表面に触媒を設けた構成とする。
【００２０】
また、第２の目的を達成するための第１０の手段は、回転支持部を支持されている平板フィルタと、前記平板フィルタを１８０度回転するモータを設け、前記平板フィルタの両面に触媒を設けた構成とする。
【００２１】
【作用】
本発明は上記した第１の手段の構成により、触媒が常温で励起、活性化され、常温で自己浄化機能を果たすことができることにある。
【００２２】
また、第１、第２、第３、第９、および第１０の手段の構成により、効率良く、短時間で、付着した調理油を分解気化することができる。
【００２３】
また、第１の手段の構成により、フィルタの埃付着を防止することができる。また、第１、第４および第５の手段の構成により、励起手段となる励起光を外部へ漏らすことを抑制し、安全性を高めることができる。
【００２４】
また、第６、および第７の手段の構成により、励起手段の交換を容易にすることができる。
【００２５】
また、第８の手段の構成により、励起手段の届かない部分に付着した、油汚れの清掃を容易にすることができる。
【００２６】
【実施例】
以下、本発明の第１実施例について、図１および図２を参照しながら説明する。
【００２７】
図に示すように、１は換気装置フード本体（以降フード本体という）であり、Ａ空間部２と、下部を開口させた吸気口４を持つＢ空間部３を形成している。また前記フード本体１は、調理器（図示しない）の上方に位置するよう壁面２６に取付けられている。前記Ａ空間部２内部には、モータ５に固定した遠心形のファン６をファンケーシング７で包囲してなる送風機８を収納しており、調理器より発生した油煙を前記吸気口４から吸い込み、Ａ空間部２上面の排気口９と、それに連通する吐出口１０と、この吐出口１０にアダプタ１１で嵌合接続されたダクト１２を通じて、室外に排出するように形成されている。さらに、前記Ａ空間部２に、油煙中の油滴１３、および埃２４を捕捉する円筒フィルタ１４をＢ空間部３にまたがって配置し、この円筒フィルタ１４を回転するモータ１６を配設している。この前記円筒フィルタ１４は、全面に吸気孔１５を有するパンチングメタルで形成されている。前記Ａ空間部２とＢ空間部３は前記フード本体１に接続する仕切板１７で仕切られている。この仕切板１７には、前記油煙が前記円筒フィルタ１４の周辺から漏れないように、円筒フィルタ１４に接するシール部１８を設けている。そして、前記円筒フィルタ１４表面には、付着した調理油を分解、気化させる触媒１９（たとえば酸化触媒、光触媒など）が設けられている。また、前記Ａ空間部２内面で円筒フィルタ１４と対向する面には、前記触媒１９を励起、活性化させる励起手段２０が設けられている。この励起手段２０は、近紫外光照射ランプ２１で構成されている。さらに、この近紫外光照射ランプ２１の励起光を反射、集光させる反射手段２２が設けられている。この反射手段２２は、反射板２３で構成されている。また反射板２３は、光の反射率の高い材料（たとえばアルミニウムなど）が用いられ、放物線形状をしており、近紫外光照射ランプ２１を反射板２３の焦点位置となるように設けられている。
【００２８】
上記構成において、調理時には送風機８のモータ５を駆動回転させ、ファン６を回すと、発生した油煙がＢ空間部３の吸気口４から吸い込まれ、円筒フィルタ１４に吸引され、油煙中の油滴１３、および埃２４は円筒フィルタ１４に付着捕捉される。したがって、油煙中の油滴１３、および埃２４が捕捉され、浄化された空気は、送風機８により、排気口９、吐出口１０、アダプタ１１、ダクト１２を通じて室外に排気される。一方、円筒フィルタ１４は、油滴１３および埃２４の付着により吸気孔１５が徐々に目詰まりするため、付着する油滴１３、および埃２４を除去する必要がある。そこで円筒フィルタ１４をモータ１６で回転させ、油滴１３、および埃２４を円筒フィルタ１４の表面に均一に付着させ、さらに、円筒フィルタ１４のＢ吸気側に付着した油滴１３、および埃２４は、モータ１６による円筒フィルタ１４の回転に伴いＡ空間部２内部に移動する。そこで、励起手段２０の近紫外光照射ランプ２１を点灯させ、放射される励起光を円筒フィルタ１４表面に設けられた触媒１９と反応させ、円筒フィルタ１４に付着した油滴１３を、常温状態で低炭素分子、二酸化炭素、水蒸気に分解、気化させることができる。この時、円筒フィルタ１４に均一に付着した油滴１３は、円筒フィルタ１４の回転に伴い、逐次、Ａ空間部２内部に移動し、単位面積あたりの負荷油量を押さえられる。さらに、反射板２３は放物線形状で、近紫外光照射ランプ２１は放物線の焦点に設置されているため、励起光は平行光線となって、集中的に円筒フィルタ１４表面に照射される。したがって、近紫外光照射ランプ２１より励起光を放射し、円筒フィルタ１４表面に設けられた触媒１９との反応で、効率良く、短時間で、付着した油滴１３を分解気化することができる。さらに、円筒フィルタ１４の回転に伴い円筒フィルタ１４に付着した埃２４を円筒フィルタ１４の回転に伴い、円筒フィルタ１４に接するシール部１８で捕捉し除去することができる。さらに、本体１内部に設けた近紫外光照射ランプ２１より放射される励起光を、円筒フィルタ１４で遮り、調理者が励起光を直視することがなく、励起光を外部へ洩らすことを抑制し、安全性を高めることができる。
【００２９】
このように本発明の第１実施例の換気装置によれば、触媒と励起手段と反射手段により、常温で、効率良く、調理時の付着油を分解、気化させることができる。また、円筒フィルタに付着捕捉する単位面積あたりの負荷油量を押さえることにより、効率良く、短時間で、付着した調理時の付着油を分解気化することができる。また、円筒フィルタの回転に伴い、シール部で埃を除去することができ、円筒フィルタに埃が付着することを防止することができる。また、円筒フィルタで励起光を遮るため、励起手段となる励起光を外部へ漏らすことを抑制し、安全性を高めることができる。
【００３０】
なお、実施例では、円筒フィルタを、パンチングメタルで形成していたが、パンチングメタルに代えて、多孔性の焼結金属、およびセラミックス、不織布を用いてもよく、その作用効果に差異を生じない。
【００３１】
なお、実施例では、円筒フィルタの表面に触媒を設けたが、励起手段および反射手段の表面に触媒を設けてもよく、その作用効果に差異を生じない。
【００３２】
なお、実施例では、排気口を上面にしたが、背面および側面に設けてもよく、その作用効果に差異を生じない。
【００３３】
つぎに本発明の第２実施例について図３を参照しながら説明する。なお第１実施例と同一箇所には、同一番号を付し、その詳細な説明は省略する。
【００３４】
図に示すように、モータ５、ファン６、ファンケーシング７表面、およびフード本体１、Ａ空間部２内面に触媒１９ａを設け、さらに、フード本体１内部には、励起手段２０ａが設けられている。また、Ｂ空間部３内部にも励起手段２０ａが設けられている。この励起手段２０ａは、近紫外光照射ランプ２１ａで構成されている。さらに、この近紫外光照射ランプ２１ａの励起光を反射、集光させる反射手段２２ａが設けられている。この反射手段２２ａは反射板２３ａで構成されている。
【００３５】
上記構成により、円筒フィルタ１４に付着した油滴１３を除去する場合には、励起手段２０ａの近紫外光照射ランプ２１ａを点灯させ、放射される励起光を円筒フィルタ１４表面に設けられた触媒１９と反応させ、円筒フィルタ１４に付着した油滴１３を、常温状態で低炭素分子、二酸化炭素、水蒸気に分解、気化させ、円筒フィルタ１４を浄化する。このとき放射された励起光は、反射板２３ａで反射されるが、反射板２３ａは放物線形状で、近紫外光照射ランプ２１ａを放物線の焦点に設置されているため、励起光は平行光線となって、集中的に円筒フィルタ１４表面に照射される。また、Ａ空間部２内面にも油滴１３は付着するが、円筒フィルタ１４表面と比較して小量で、円筒フィルタ１４に照射された励起光の反射光で、Ａ空間部２内面に設けた触媒１９ａが励起され、油滴１３を充分常温状態で、低炭素分子、二酸化炭素、水蒸気に分解、気化させることができる。さらに、Ｂ空間部３内面にも油滴１３は付着し、これを除去する場合は、近紫外光照射ランプ２１ａを点灯させ、放射される励起光をＢ空間部３内面に設けられた触媒１９ａと反応させ、Ｂ空間部３内面に付着した油滴１３を、常温状態で低炭素分子、二酸化炭素、水蒸気に分解、気化させＢ空間部３内面を浄化することができる。一方、油煙中の油滴１３が円筒フィルタ１４に付着捕捉された後、油滴１３が浄化された空気は、モータ５、ファン６、ファンケーシング７からなる送風機８により、排気口９、吐出口１０、アダプタ１１、ダクト１２を通じて室外に排気されるが、円筒フィルタ１４に付着捕捉されなかった油滴１３は、モータ５、ファン６、ファンケーシング７に付着する。この付着した油滴１３については、ファンケーシング７近傍、Ａ空間部２内部に設けられた近紫外光照射ランプ２１からの励起光、および反射板２３からの反射光と触媒１９により、常温状態で低炭素分子、二酸化炭素、水蒸気に分解、気化させることができる。
【００３６】
このように本発明の第２実施例の換気装置によれば、触媒と励起手段と反射手段により、常温で、効率良く、調理時の付着油を分解、気化させることができる。
【００３７】
つぎに本発明の第３実施例について図４を参照しながら説明する。なお第１実施例と同一箇所には、同一番号を付し、その詳細な説明は省略する。
【００３８】
図に示すように、円筒フィルタ１４内面にも触媒１９を設け、円筒フィルタ１４内部にも励起手段２０となる近紫外光照射ランプ２１ｂが設けられている。
【００３９】
上記構成において、油煙に含まれる油滴１３の１部は、円筒フィルタ１４表面に付着補足されず、吸気孔１５を通過し、円筒フィルタ１４内面で再捕捉される。したがって、円筒フィルタ１４内面に付着した油滴１３を除去する場合には、円筒フィルタ１４内部に設けた励起手段２０の近紫外光照射ランプ２１ｂを点灯させ、放射される励起光を円筒フィルタ１４内面に設けられた触媒１９と反応させ、円筒フィルタ１４内面に付着した油滴１３を、常温状態で低炭素分子、二酸化炭素、水蒸気に分解、気化させ、円筒フィルタ１４を浄化する。このとき油滴１３は、円筒フィルタ１４の表面と内面の両面で付着補足され、単位面積あたりの負荷油量を押さえられる。したがって、効率良く、短時間で油滴１３を分解気化することができる。
【００４０】
このように本発明の第３実施例の換気装置によれば、油滴を補足する面積が増加し、単位面積あたりの負荷油量を押さえられるので、効率良く、短時間で調理時の付着油を分解、気化させることができる。
【００４１】
つぎに本発明の第４実施例について図５を参照しながら説明する。なお第１実施例と同一箇所には、同一番号を付し、その詳細な説明は省略する。
【００４２】
図に示すように、円筒フィルタ１４内部に設けられた近紫外光照射ランプ２１ｂに、反射板２３ｂを併設している。
【００４３】
上記構成により、反射板２３ｂが、円筒フィルタ１４内部に設けられた近紫外光照射ランプ２１ｂの励起光を遮り、励起光を外部へ洩らすことを抑制し、安全性を高めることができる。
【００４４】
このように本発明の第４実施例の換気装置によれば、反射板が、近紫外光照射ランプより放射された励起光を遮り、励起手段となる励起光を外部へ漏らすことを抑制し、安全性を高めることができる。
【００４５】
つぎに本発明の第５実施例について図６を参照しながら説明する。なお第１実施例と同一箇所には、同一番号を付し、その詳細な説明は省略する。
【００４６】
図に示すように、円筒フィルタ１４ａは、長板３４を円周方向に配置し、この長板３４の内周側を円周方向に前進し形成されている。
【００４７】
上記構成により、円筒フィルタ１４ａに励起光が照射されても、円筒フィルタ１４ａに配置されている長板３４が、この励起光の直進を妨げ、励起手段となる励起光を外部へ洩らすことを抑制し、安全性を高めることができる。
【００４８】
このように本発明の第５実施例の換気装置によれば、円筒フィルタに配置されている長板が、近紫外光照射ランプの放射光を遮り、励起手段となる励起光を外部へ漏らすことを抑制し、安全性を高めることができる。
【００４９】
つぎに本発明の第６実施例について図７を参照しながら説明する。なお第１実施例と同一箇所には、同一番号を付し、その詳細な説明は省略する。
【００５０】
図に示すように、Ａ空間部２、およびＢ空間部３に開閉部２５を設け、この開閉部２５内部に、励起手段２０である近紫外光照射ランプ２１、および２１ａが設けられている。
【００５１】
上記構成により、Ａ空間部２、およびＢ空間部３に設けられた開閉部２５を開閉し、励起手段２０の近紫外光照射ランプ２１、および２１ａを簡単に交換することができる。
【００５２】
このように本発明の第６実施例の換気装置によれば、フード本体、および空間部に開閉部を設けることにより、励起手段の近紫外光照射ランプを簡単に交換することができる。
【００５３】
つぎに本発明の第７実施例について図８を参照しながら説明する。なお第１実施例と同一箇所には、同一番号を付し、その詳細な説明は省略する。
【００５４】
図に示すように、円筒フィルタ１４内部にも励起手段２０となる近紫外光照射ランプ２１ｂが設けられている。さらに、円筒フィルタ１４をフィルタ３３ａとフィルタ３３ｂに分割し、回転支持２７でフィルタ３３ａとフィルタ３３ｂは支持されている。
【００５５】
上記構成により、円筒フィルタ１４を、フィルタ３３ａとフィルタ３３ｂに分割開閉し、励起手段２０となる近紫外光照射ランプ２１ｂを簡単に交換することができる。
【００５６】
このように本発明の第７実施例の換気装置によれば、円筒フィルタを２分割して開閉し、励起手段となる近紫外光照射ランプを簡単に交換することができる。
【００５７】
つぎに本発明の第８実施例について図９を参照しながら説明する。なお第１実施例と同一箇所には、同一番号を付し、その詳細な説明は省略する。
【００５８】
図に示すように、Ｂ空間部３のコーナー部２８を覆うパネル２９を設け、このパネル２９と、Ｂ空間部３外面、およびＡ空間部２外面に、撥油効果のある塗料を塗装してある。
【００５９】
上記構成により、Ｂ空間部３の励起光が届かないコーナー部２８をパネル２９で覆い、コーナー部２８に油滴１３が付着することを防ぐことができる。さらに、パネル２９と、Ｂ空間部３外面、およびＡ空間部２外面に、撥油効果のある塗料を塗装してあるので、励起光の届かないパネル２９と、Ｂ空間部３外面、およびＡ空間部２外面に付着した油汚れの清掃を容易にすることができる。
【００６０】
このように本発明の第８実施例の換気装置によれば、励起手段の届かない部分に付着した、油汚れの清掃を容易にすることができる。
【００６１】
つぎに本発明の第９実施例について図１０を参照しながら説明する。なお第１実施例と同一箇所には、同一番号を付し、その詳細な説明は省略する。
【００６２】
図に示すように、Ａ空間部２とＢ空間部３を仕切るように、油煙中の油滴１３、および埃２４を捕捉するロール状フィルタ３０を配置し、このロール状フィルタ３０を回転するモータ１６をＡ空間部２に配設している。また、この前記ロール状フィルタ３０は、全面に吸気孔１５ａを有し、柔軟性のあるパンチングメタルで形成されている。また、前記ロール状フィルタ３０は、少なくとも両端部を支持部３１で支持され、ロール状フィルタ３０を回転するモータ１６を配置している。さらに、前記ロール状フィルタ３０の片面は前記Ａ空間部２に、またもう片面はＢ空間部３に配向している。前記Ａ空間部２とＢ空間部３は前記フード本体１に接続する仕切板１７で仕切られている。この仕切板１７には、前記油煙が前記ロール状フィルタ３０の周辺から漏れないように、ロール状フィルタ３０に接するシール部１８を設けている。そして、前記ロール状フィルタ３０表面には、付着した調理油を分解、気化させる触媒１９（たとえば酸化触媒、光触媒など）が設けられている。また、前記Ａ空間部２内面でロール状フィルタ３０と対向する面には、前記触媒１９を励起、活性化させる励起手段２０が設けられている。この励起手段２０は、近紫外光照射ランプ２１で構成されている。さらに、この近紫外光照射ランプ２１の励起光を反射、集光させる反射手段２２が設けられている。この反射手段２２は、反射板２３で構成されている。前記油煙を前記ロール状フィルタ３０の周辺から漏れないように、ロール状フィルタ３０に接するシール部１８を設けている。このロール状フィルタ３０表面には、付着した調理時の付着油を分解、気化させる触媒１９（たとえば酸化触媒、光触媒など）が設けられている。また、前記フードＡ空間部２内部の、ロール状フィルタ３０と対向する面には、前記触媒１９を励起、活性化させる励起手段２０が設けられている。
【００６３】
上記構成において、調理時に、発生した油煙がＢ空間部３の吸気口４から吸い込まれ、ロール状フィルタ３０に吸引され、油煙中の油滴１３、および埃２４はロール状フィルタ３０に付着捕捉される。したがって、油滴１３、および埃２４が捕捉され浄化された空気は、モータ５、ファン６、ファンケーシング７からなる送風機８により、排気口９、吐出口１０、アダプタ１１、ダクト１２を通じて室外に排気される。一方、ロール状フィルタ３０は、油滴１３、および埃２４の付着により吸気孔１５が徐々に目詰まりするため、付着する油滴１３、および埃２４を除去する必要がある。このときロール状フィルタ３０は、モータ１６で回転する。一方、油滴１３は、ロール状フィルタ３０表面に均一に付着し、さらに、ロール状フィルタ３０のＢ空間部３に付着した油滴１３、および埃２４は、ロール状フィルタ３０の回転に伴い、Ａ空間部２内部に移動する。この場合には、励起手段２０の近紫外光照射ランプ２１を点灯させ、放射される励起光をロール状フィルタ３０表面に設けられた触媒１９と反応させ、ロール状フィルタ３０に付着した油滴１３を、常温状態で低炭素分子、二酸化炭素、水蒸気に分解、気化させることができる。さらに、ロール状フィルタ３０に均一に付着した油滴１３は、ロール状フィルタ３０の回転に伴い、逐次、Ａ空間部２内部に移動し、単位面積あたりの負荷油量を押さえることができる。また、ロール状フィルタ３０は、支持部３１によりロール状フィルタ３０の移動方向が変えられ、Ａ空間部２内部の近紫外光照射ランプ２１に近接される。このとき放射された励起光は、反射板２３で反射されるが、反射板２３は放物線形状で、近紫外光照射ランプ２１は放物線の焦点に設置されているため、励起光は平行光線となって、集中的にロール状フィルタ３０表面に照射される。したがって、近紫外光照射ランプ２１より励起光を放射し、ロール状フィルタ３０表面に設けられた触媒１９との反応で、効率良く、短時間で、調理時に付着した油滴１３を分解気化することができる。
【００６４】
このように本発明の第９実施例の換気装置によれば、ロール状フィルタに付着捕捉する単位面積あたりの負荷油量を押さえることにより、効率良く、短時間で、調理時の付着油を分解気化することができる。
【００６５】
つぎに本発明の第１０実施例について、図１１を参照しながら説明する。なお第１実施例と同一箇所には、同一番号を付し、その詳細な説明は省略する。
【００６６】
図に示すように、Ａ空間部２とＢ空間部３を仕切るように、油煙中の油滴１３、および埃２４を捕捉する平板フィルタ３２を配置し、この平板フィルタ３２を１８０度毎に回転するモータ１６をＡ空間部２に配設している。また、この前記平板フィルタ３２は、中心部を回転支持部３５で支持され、全面に吸気孔１５を有するパンチングメタルで形成されている。また、前記平板フィルタ３２の片面は前記Ａ空間部２に、またもう片面はＢ空間部３に配向している。前記Ａ空間部２とＢ空間部３は前記フード本体１に接続する仕切板１７で仕切られている。そして、前記平板フィルタ３２表面には、付着した調理油を分解、気化させる触媒１９（たとえば酸化触媒、光触媒など）が設けられている。また、前記Ａ空間部２内部の、平板フィルタ３２と対向する面には、前記触媒１９を励起、活性化させる励起手段２０が設けられている。この励起手段２０は、近紫外光照射ランプ２１で構成されている。
【００６７】
上記構成において、調理時に発生した油煙がＢ空間部３の吸気口４から吸い込まれ、平板フィルタ３２に吸引され、油煙中の油滴１３は平板フィルタ３２に付着捕捉される。したがって、油滴１３が捕捉され浄化された空気は、モータ５、ファン６、ファンケーシング７からなる送風機８により、排気口９、吐出口１０、アダプタ１１、ダクト１２を通じて室外に排気される。一方、平板フィルタ３２は、油滴１３の付着により吸気孔１５が徐々に目詰まりするため、付着する油滴１３を除去する必要がある。このとき平板フィルタ３２は、モータ１６で回転する。一方、油滴１３は、平板フィルタ３２表面に均一に付着し、一定の付着量になる前に、平板フィルタ３２は１８０度回転され、裏面にも付着する。そして、平板フィルタ３２表面に付着した油滴１３は、平板フィルタ３２の１８０度回転に伴い、Ａ空間部２内部に移動する。この場合には、励起手段２０の近紫外光照射ランプ２１を点灯させ、放射される励起光を平板フィルタ３２表面に設けられた触媒１９と反応させ、平板フィルタ３２に付着した油滴１３を、常温状態で低炭素分子、二酸化炭素、水蒸気に分解、気化させることができる。したがって、平板フィルタ３２に均一に付着した油滴１３は、平板フィルタ３２の回転に伴い、逐次、Ａ空間部２内部に移動し、単位面積あたりの負荷油量を押さえることができる。この時、平板フィルタ３２に付着した油滴１３は、Ａ空間部２内部の近紫外光照射ランプ２１により励起光を放射される。したがって、近紫外光照射ランプ２１より励起光を放射し、平板フィルタ３２表面に設けられた触媒１９との反応で、効率良く、短時間で、調理時に付着した油滴１３を分解気化することができる。
【００６８】
このように本発明の第１０実施例の換気装置によれば、平板フィルタに付着捕捉する単位面積あたりの負荷油量を押さえることにより、効率良く、短時間で、調理時の付着油を分解気化することができる。
【００６９】
【発明の効果】
以上の実施例から明らかなように、本発明によれば、触媒と励起手段と反射手段により、触媒を励起、活性化させることができるため、常温で、効率良く、調理時の付着油を分解、気化させることができ、自己浄化機能を果たすことができる換気装置を提供できる。また、円筒フィルタに付着捕捉する単位面積あたりの負荷油量を押さえることにより、効率良く、短時間で、付着した調理油を分解気化することができる換気装置を提供できる。また、円筒フィルタの回転に伴い、シール部で埃を除去することができ、円筒フィルタに埃が付着することを防止することができる換気装置を提供できる。また、円筒フィルタで励起光を遮るため、励起手段となる励起光を外部へ漏らすことを抑制し、安全性を高めることができる換気装置を提供できる。
【００７０】
また、励起手段と反射手段により、ファンとモータとファンケーシング、およびフード本体の触媒を励起、活性化させることができるため、常温で、効率良く、調理時の付着油を分解、気化させることができ、自己浄化機能を果たすことができる換気装置を提供できる。
【００７１】
また、油滴を補足する面積が増加し、単位面積あたりの負荷油量を押さえられるので、効率良く、短時間で調理時の付着油を分解、気化させることができる換気装置を提供できる。
【００７２】
また、反射板が、近紫外光照射ランプより放射された励起光を遮り、励起手段となる励起光を外部へ漏らすことを抑制し、安全性を高めることができる換気装置を提供できる。
【００７３】
また、円筒フィルタに配置されている長板が、近紫外光照射ランプの放射光を遮り、励起手段となる励起光を外部へ漏らすことを抑制し、安全性を高めることができる換気装置を提供できる。
【００７４】
また、フード本体、および空間部に開閉部を設けることにより、励起手段の近紫外光照射ランプを簡単に交換することができる換気装置を提供できる。
【００７５】
また、円筒フィルタを２分割して開閉し、励起手段となる近紫外光照射ランプを簡単に交換することができる換気装置を提供できる。
【００７６】
また、励起手段の届かない部分に付着した、油汚れの清掃を容易にすることができる換気装置を提供できる。
【００７７】
また、ロール状フィルタに付着捕捉する単位面積あたりの負荷油量を押さえることにより、効率良く、短時間で、調理時の付着油を分解気化することができる換気装置を提供できる。
【００７８】
また、平板フィルタに付着捕捉する単位面積あたりの負荷油量を押さえることにより、効率良く、短時間で、調理時の付着油を分解気化することができる換気装置を提供できる。
【図面の簡単な説明】
【図１】本発明の第１実施例の換気装置の縦断面図
【図２】同実施例の要部断面図
【図３】同第２実施例の換気装置の縦断面図
【図４】同第３実施例の要部断面図
【図５】同第４実施例の同断面図
【図６】同第５実施例の同断面図
【図７】同第６実施例の換気装置の縦断面図
【図８】同第７実施例の要部断面図
【図９】同第８実施例の換気装置の縦断面図
【図１０】同第９実施例の同縦断面図
【図１１】同第１０実施例の同縦断面図
【図１２】従来の換気装置の縦断面図
【符号の説明】
１                  フード本体
２                        Ａ空間部
３                        Ｂ空間部
４            吸気口
５                        モータ
６                        ファン
７                  ファンケーシング
９                  排気口
１４，１４ａ  円筒フィルタ
１６                    モータ
１７          仕切板
１８                  シール部
１９                    触媒
２０            励起手段
２２                    反射手段
２５                    開閉部
２８                    コーナー部
２９              パネル
３０                    ロール状フィルタ
３２          平板フィルタ
３４              長板
【図１】
0003621747.tif 000002
【図２】
0003621747.tif 000003
【図３】
0003621747.tif 000004
【図４】
0003621747.tif 000005
【図５】
0003621747.tif 000006
【図６】
0003621747.tif 000007
【図７】
0003621747.tif 000008
【図８】
0003621747.tif 000009
【図９】
0003621747.tif 000010
【図１０】
0003621747.tif 000011
【図１１】
0003621747.tif 000012
【図１２】
0003621747.tif 000013